(57)【特許請求の範囲】
【請求項１】
１本の擬似負荷と、
放電管駆動装置から供給される複数のランプ駆動電流を重畳させて前記１本の擬似負荷に導通させるとともに、その導通電流を前記複数のランプ駆動電流に分離させる複数のトランスと、
を備えることを特徴とする擬似負荷回路。
【請求項２】
複数の電流検出用抵抗を備え、
前記擬似負荷の一端は、前記複数のトランスの１次側巻線の一端に接続され、
前記擬似負荷の他端は、前記複数のトランスの２次側巻線の一端に接続され、
前記トランスのうちの１つの前記１次側巻線、前記擬似負荷、そのトランスの前記２次側巻線、および前記電流検出用抵抗のうちの１つを含む直列回路に、前記複数のランプ駆動電流のうちの１つが導通すること、
を特徴とする請求項１記載の擬似負荷回路。
【請求項３】
複数の電流検出用抵抗を備え、
複数のランプ駆動電流は、正相のランプ駆動電流と逆相のランプ駆動電流とを含み、
前記擬似負荷の一端は、前記正相のランプ駆動電流が導通する前記トランスの１次側巻線の一端に接続され、
前記擬似負荷の他端は、前記逆相のランプ駆動電流が導通する前記トランスの１次側巻線の一端に接続され、
前記正相のランプ駆動電流が導通する前記トランスのうちの１つの２次側巻線と前記電流検出用抵抗のうちの１つとを含む閉回路が構成され、
前記逆相のランプ駆動電流が導通する前記トランスのうちの１つの２次側巻線と前記電流検出用抵抗のうちの１つとを含む閉回路が構成されること、
を特徴とする請求項１記載の擬似負荷回路。
【発明の詳細な説明】
【技術分野】
【０００１】
本発明は、放電管ランプの擬似負荷回路に関するものである。
【背景技術】
【０００２】
図６は、従来の擬似負荷回路の一例を示す回路図である。図６において、放電管駆動装置１０１は、ｎ本（ｎ＞１）の冷陰極管ランプを駆動する。擬似負荷回路２０１は、ｎ本の冷陰極管ランプを模擬するｎ本の擬似負荷ｒ１，・・・，ｒｎを有する。各擬似負荷ｒｉは、それぞれ、放電管駆動装置１０１の各出力端子に接続される。各擬似負荷ｒｉには電流検出用抵抗Ｒｓｉが直列に接続され、各擬似負荷ｒｉの一端は、放電管駆動装置１０１の各出力端子にそれぞれ接続され、各擬似負荷ｒｉの他端は、電流検出用抵抗Ｒｓｉを介して接地されている。
【０００３】
擬似負荷ｒｉは、複数の抵抗素子を直列接続して生成された例えば数十キロ〜数百キロオーム程度の抵抗値を有する直列回路である。放電管駆動装置１０１により高電圧が印加されるため、このようにして、複数の抵抗素子を直列に接続して印加電圧を分圧することで、擬似負荷ｒｉの耐圧を高くしているとともに、電流が導通することで発生するジュール熱を分散している。
【０００４】
次に、上記回路の動作について説明する。
【０００５】
放電管駆動装置１０１は、高圧な交流電圧を出力端子に印加する。これにより、各擬似負荷ｒｉには、交流電流が導通される。この電流は、擬似負荷ｒｉに直列に接続されている電流検出用抵抗Ｒｓｉにも導通される。電流検出用抵抗Ｒｓ１，・・・，Ｒｓｎのそれぞれの両端間の端子電圧を計測することで、ｎ本の冷陰極管ランプを駆動する放電管駆動装置１０１の検査が実施される。
【０００６】
以上のようにして、擬似負荷回路２０１が使用される。
【０００７】
ここで、放電管駆動装置について説明する。図７は、放電管駆動装置の例を示す回路図である。図７（Ａ）に示す放電管駆動装置では、制御ＩＣ３０１からの制御信号に基づきドライバ回路３０２が動作し、高周波電圧が高周波トランス３０３に印加され、高周波トランス３０３により昇圧される。そして、１つの高周波トランス３０３で、出力端子３０４に接続された１本の冷陰極管ランプ３１１を駆動する。したがって、ｎ本の冷陰極管ランプ３１１を駆動する場合には、ｎ個の高周波トランス３０３によりｎ本の冷陰極管ランプ３１１に高周波の交流電圧が印加される。
【０００８】
図７（Ｂ）に示す放電管駆動装置では、制御ＩＣ３２１からの制御信号に基づきドライバ回路３２２が動作し、高周波電圧が高周波トランス３２３に印加され、高周波トランス３２３により昇圧される。そして、１つの高周波トランス３２３で、２つの出力端子３２４に接続された２本の冷陰極管ランプ３３１を駆動する。この装置では、一方の冷陰極管ランプ３３１には、正相の高周波の交流電圧が印加され、他方の冷陰極管ランプ３３１には、逆相の高周波の交流電圧が印加される。なお、図６における放電管駆動装置１０１は、図７（Ｂ）に示す装置と同様の装置である。
【０００９】
このような放電管駆動装置により冷陰極管ランプ３１１，３３１が駆動される。
【００１０】
なお、１本の放電ランプについての擬似負荷回路としては、例えば特許文献１に記載のものがある。
【００１１】
【特許文献１】特開平６−７６９７３号公報
【発明の開示】
【発明が解決しようとする課題】
【００１２】
上述の擬似負荷回路は、放電管駆動装置により駆動される冷陰極管ランプの本数と同一の本数の擬似負荷ｒｉを有する。放電管駆動装置に接続される冷陰極管ランプは同一種別のものであるから、正確な検査のために、擬似負荷回路における複数の擬似負荷ｒｉの抵抗値をすべて同一にする必要がある。
【００１３】
しかしながら、上述のように擬似負荷ｒｉは、多数の抵抗素子を直列接続して構成されるため、複数の擬似負荷ｒｉの抵抗値をすべて同一にすることは簡単ではない。同一抵抗値として製造／販売されている複数の抵抗素子であっても、通常、抵抗値の誤差があるため、同一抵抗値の擬似負荷ｒｉを多く用意するには、手間と時間を要する。
【００１４】
また、高周波の電圧が印加されるため、回路内において複数の擬似負荷ｒｉの間に浮遊容量Ｃによる容量結合が発生し、漏れ電流が発生してしまい、正確な電流測定が行えないという問題がある。
【００１５】
さらに、複数の擬似負荷ｒｉが配置されるため、擬似負荷回路の基板サイズが大きくなってしまうという問題がある。
【００１６】
本発明は、上記の問題に鑑みてなされたものであり、擬似負荷を作成する手間を低減するとともに、正確な測定を行うことができる擬似負荷回路を得ることを目的とする。
【課題を解決するための手段】
【００１７】
上記の課題を解決するために、本発明では以下のようにした。
【００１８】
本発明に係る擬似負荷回路は、１本の擬似負荷と、放電管駆動装置から供給される複数のランプ駆動電流を重畳させて１本の擬似負荷に導通させるとともに、その導通電流を元の複数のランプ駆動電流に分離させる複数のトランスとを備える。
【００１９】
これにより、放電管駆動装置の複数の駆動電流に対して１本の擬似負荷を用意すればよいため、同一抵抗値の擬似負荷を多数作成せずに済み、手間を低減することができる。また、擬似負荷の本数を減少させることができるため、容量結合が低減され、正確な測定を行うことができる。
【００２０】
また、本発明に係る擬似負荷回路は、上記の擬似負荷回路に加え、次のようにしてもよい。この場合、擬似負荷回路は  複数の電流検出用抵抗を備える。そして、擬似負荷の一端は、複数のトランスの１次側巻線の一端に接続され、擬似負荷の他端は、複数のトランスの２次側巻線の一端に接続される。さらに、複数のトランスのうちの１つの１次側巻線、擬似負荷、そのトランスの２次側巻線、および電流検出用抵抗のうちの１つを含む直列回路に、複数のランプ駆動電流のうちの１つが導通する。
【００２１】
これにより、同一相の複数の駆動電流に対して１本の擬似負荷を用意すればよいため、１本または２本の擬似負荷のみで、すべての駆動電流の測定を行うことができる。
【００２２】
また、本発明に係る擬似負荷回路は、上記の擬似負荷回路のいずれかに加え、次のようにしてもよい。この場合、擬似負荷回路は、複数の電流検出用抵抗を備える。また、複数のランプ駆動電流は、正相のランプ駆動電流と逆相のランプ駆動電流とを含む。そして、擬似負荷の一端は、正相のランプ駆動電流が導通するトランスの１次側巻線の一端に接続され、擬似負荷の他端は、逆相のランプ駆動電流が導通するトランスの１次側巻線の一端に接続される。また、正相のランプ駆動電流が導通するトランスのうちの１つの２次側巻線と電流検出用抵抗のうちの１つとを含む閉回路が構成される。さらに、逆相のランプ駆動電流が導通するトランスのうちの１つの２次側巻線と電流検出用抵抗のうちの１つとを含む閉回路が構成される。
【００２３】
これにより、正相および逆相の両方の複数の駆動電流に対して１本の擬似負荷を用意すればよいため、１本の擬似負荷のみで、すべての駆動電流の測定を行うことができる。
【発明の効果】
【００２４】
本発明によれば、擬似負荷を作成する手間を低減することができる擬似負荷回路を得ることができる。
【発明を実施するための最良の形態】
【００２５】
以下、図に基づいて本発明の実施の形態を説明する。
【００２６】
実施の形態１．
本発明の実施の形態１に係る擬似負荷回路は、図７（Ａ）に示すように放電管駆動装置が１つのトランスで１つの管を駆動するものである場合に使用可能なものである。
【００２７】
図１は、本発明の実施の形態１に係る擬似負荷回路の構成を示す回路図である。図１に示す擬似負荷回路は、擬似負荷Ｒを１本だけ有する。
【００２８】
擬似負荷Ｒは、複数の抵抗素子Ｒ１，・・・，Ｒｎを直列接続させた直列回路である。擬似負荷Ｒは、例えば数十キロ〜数百キロオーム程度の抵抗値を有する。多数の抵抗素子Ｒ１，・・・，Ｒｎを直列接続することで、放電管駆動装置により印加される高電圧が分圧される。これにより、擬似負荷Ｒの耐圧が高くなるとともに、電流が導通することで発生するジュール熱が分散される。
【００２９】
実施の形態１では、トランスＴｉ（ｉ＝１，３，５，７）は、１次側巻線を流れる電流と２次側巻線を流れる電流とを同一にするトランスであって、巻編比が１であって結合の高い電流バランストランスである。なお、トランスＴ１，・・・，Ｔ７は、同一特性のトランスとされる。
【００３０】
トランスＴｉの１次側巻線の一端は、入力端子ｐｉに接続される。この入力端子ｐｉには、放電管駆動装置から１本の冷陰極管ランプを駆動する駆動電圧が印加される。トランスＴｉの１次側巻線の他端は、擬似負荷Ｒの一端に接続される。
【００３１】
トランスＴｉの２次側巻線の一端は、擬似負荷Ｒの他端に接続される。トランスＴｉの２次側巻線の他端は、電流検出用抵抗Ｒｓｉの一端に接続される。電流検出用抵抗Ｒｓｉの他端は、接地される。
【００３２】
電流検出用抵抗Ｒｓｉ（ｉ＝１，３，５，７）は、導通する電流を電圧として測定するために設けられている抵抗である。電流検出用抵抗Ｒｓｉの抵抗値は、擬似負荷Ｒの抵抗値より非常に低い。
【００３３】
次に、上記回路の動作について説明する。図２は、図１に示す回路の動作を説明する図である。
【００３４】
実施の形態１では、４本の冷陰極管ランプを駆動するための、ほぼ同一の振幅および周波数の、ほぼ同相の駆動電圧が、入力端子ｐ１，ｐ３，ｐ５，ｐ７とグランドとの間に印加され、４つのランプ駆動電流ｉ１，ｉ３，ｉ５，ｉ７が供給される。
【００３５】
これらの駆動電流ｉ１，・・・，ｉ７のそれぞれは、入力端子ｐ１，ｐ３，ｐ５，ｐ７とグランドとの間を、トランスＴｉの１次側巻線、擬似負荷Ｒ、トランスＴｉの２次側巻線および電流検出用抵抗Ｒｓｉからなる直列回路を介して流れる。このとき、トランスＴ１，Ｔ３，Ｔ５，Ｔ７により、擬似負荷Ｒへ重畳して流入する４つの駆動電流ｉ１，・・・，ｉ７は、流入量と同一になるように擬似負荷Ｒから４つに分離して流出する。つまり、駆動電流ｉ１，・・・，ｉ７は重畳されて擬似負荷Ｒに導通し、その後、分離される。これにより、複数の駆動電流ｉ１，・・・，ｉ７は、１本の擬似負荷Ｒを流れるものの、互いに影響を与えることなく、電流検出用抵抗Ｒｓｉへそれぞれ導通される。
【００３６】
これにより、４つの電流検出用抵抗Ｒｓ１，・・・，Ｒｓ７の両端間の端子電圧を計測することで、放電管駆動装置の４つの冷陰極管ランプの駆動系を検査することができる。
【００３７】
なお、実施の形態１の擬似負荷回路は、４駆動系ためのものであるが、１駆動系につき１つのトランスＴｉと１つの電流検出用抵抗Ｒｓｉを同様にして接続することで、２、３および５以上の駆動系の擬似負荷回路も簡単に構成可能である。
【００３８】
以上のように、上記実施の形態１の擬似負荷回路は、１本の擬似負荷Ｒと、放電管駆動装置から供給される複数のランプ駆動電流を重畳させて擬似負荷Ｒに導通させるとともに、その導通電流を元のランプ駆動電流に分離させる複数のトランスＴ１，Ｔ３，Ｔ５，Ｔ７とを備える。
【００３９】
これにより、放電管駆動装置の複数の駆動電流ｉ１，ｉ３，ｉ５，ｉ７に対して１本の擬似負荷Ｒを用意すればよいため、同一抵抗値の擬似負荷を多数作成せずに済み、手間を低減することができる。また、擬似負荷の本数を減少させることができるため、容量結合が低減され、正確な測定を行うことができる。
【００４０】
また、上記実施の形態１によれば、擬似負荷Ｒの一端は、複数のトランスＴ１，Ｔ３，Ｔ５，Ｔ７の１次側巻線の一端に接続され、擬似負荷Ｒの他端は、複数のトランスＴ１，Ｔ３，Ｔ５，Ｔ７の２次側巻線の一端に接続される。さらに、トランスＴｉの１次側巻線、擬似負荷、そのトランスＴｉの２次側巻線および電流検出用抵抗Ｒｓｉを含む直列回路に、１つのランプ駆動電流が流れる。
【００４１】
これにより、同一相のすべての駆動電流に対して１本の擬似負荷を用意すればよいため、１本の擬似負荷Ｒのみで、すべての駆動電流の測定を行うことができる。
【００４２】
実施の形態２．
本発明の実施の形態２に係る擬似負荷回路は、放電管駆動装置が正相および逆相の２つの駆動系により２本または１本の管を駆動するものである場合に使用可能なものである。その際、正相の駆動系の数と、逆相の駆動系の数とは同一となる。例えば、図７（Ｂ）に示すように、１つのトランスで２つの管を駆動する駆動装置に対して使用可能である。
【００４３】
図３は、本発明の実施の形態２に係る擬似負荷回路の構成を示す回路図である。実施の形態２では、擬似負荷回路は、２本の擬似負荷ＲＡ，ＲＢを有する。擬似負荷ＲＡは、複数の抵抗素子Ｒａ１，・・・，Ｒａｎを直列接続させた直列回路である。擬似負荷ＲＢは、複数の抵抗素子Ｒｂ１，・・・，Ｒｂｎを直列接続させた直列回路である。擬似負荷ＲＡ，ＲＢは、それぞれ、例えば数十キロ〜数百キロオーム程度の抵抗値を有する。擬似負荷ＲＡと擬似負荷ＲＢは、同一の抵抗値とされる。
【００４４】
また、実施の形態２に示す回路は、４駆動系分の擬似負荷回路を２つ有する。この４駆動系分の擬似負荷回路は、実施の形態１の擬似負荷回路と同一構成の回路である。
【００４５】
次に、上記回路の動作について説明する。
【００４６】
上記の擬似負荷回路に対して放電管駆動装置により駆動電圧が印加される。４駆動系の正相の駆動電圧が、４つの入力端子ｐ１，ｐ３，ｐ５，ｐ７とグランドとの間にそれぞれ印加されるとともに、４駆動系の逆相の駆動電圧が、４つの入力端子ｐ２，ｐ４，ｐ６，ｐ８とグランドとの間にそれぞれ印加される。
【００４７】
したがって、擬似負荷ＲＡ、トランスＴ１，Ｔ３，Ｔ５，Ｔ７、および電流検出用抵抗Ｒｓ１，Ｒｓ３，Ｒｓ５，Ｒｓ７には、正相の４駆動系の駆動電流が流れる。このため、電流検出用抵抗Ｒｓ１，Ｒｓ３，Ｒｓ５，Ｒｓ７のそれぞれの両端電圧を測定することで、正相の４駆動系の検査を行うことができる。
【００４８】
また、擬似負荷ＲＢ、トランスＴ２，Ｔ４，Ｔ６，Ｔ８、および電流検出用抵抗Ｒｓ２，Ｒｓ４，Ｒｓ６，Ｒｓ８には、逆相の４駆動系の駆動電流が流れる。このため、電流検出用抵抗Ｒｓ２，Ｒｓ４，Ｒｓ６，Ｒｓ８のそれぞれの両端電圧を測定することで、逆相の４駆動系の検査を行うことができる。
【００４９】
なお、実施の形態２の擬似負荷回路は、８駆動系ためのものであるが、２駆動系につき２つのトランスＴｉ，Ｔｉ＋１と２つの電流検出用抵抗Ｒｓｉ，Ｒｓｉ＋１を同様にして接続することで、４、６および１０以上の偶数個の駆動系の擬似負荷回路も簡単に構成可能である。
【００５０】
以上のように、上記実施の形態２の擬似負荷回路は、実施の形態１の擬似負荷回路を２つ有する。これにより、同一相のすべての駆動電流に対して１本の擬似負荷を用意すればよいため、正相用及び逆相用の合計２本の擬似負荷ＲＡ，ＲＢのみで、すべての駆動電流の測定を行うことができる。
【００５１】
実施の形態３．
本発明の実施の形態３に係る擬似負荷回路は、放電管駆動装置が正相および逆相の２つの駆動系により２本または１本の管を駆動するものである場合に使用可能なものである。その際、正相の駆動系の数と、逆相の駆動系の数とは同一となる。例えば、図７（Ｂ）に示すように、１つのトランスで２つの管を駆動する駆動装置に対して使用可能である。
【００５２】
図４は、本発明の実施の形態３に係る擬似負荷回路の構成を示す回路図である。図４に示す回路は、１本の擬似負荷Ｒを有する。この擬似負荷Ｒは、実施の形態１のものと同様である。
【００５３】
実施の形態３では、トランスＴｉ（ｉ＝１，２，・・・，８）は、１次側の電流に比例して２次側の電流を出力するトランスである。トランスＴ１，・・・，Ｔ８は、同一特性のトランスとされる。
【００５４】
トランスＴ１，Ｔ３，Ｔ５，Ｔ７の１次側巻線の一端は、入力端子ｐ１，ｐ３，ｐ５，ｐ７に接続される。この入力端子ｐ１，ｐ３，ｐ５，ｐ７のそれぞれには、放電管駆動装置から１本の冷陰極管ランプを駆動する正相の駆動電圧が印加される。トランスＴ１，Ｔ３，Ｔ５，Ｔ７の１次側巻線の他端は、擬似負荷Ｒの一端に接続される。
【００５５】
トランスＴ２，Ｔ４，Ｔ６，Ｔ８の１次側巻線の一端は、入力端子ｐ２，ｐ４，ｐ６，ｐ８に接続される。この入力端子ｐ２，ｐ４，ｐ６，ｐ８のそれぞれには、放電管駆動装置から１本の冷陰極管ランプを駆動する逆相の駆動電圧が印加される。トランスＴ２，Ｔ４，Ｔ６，Ｔ８の１次側巻線の他端は、擬似負荷Ｒの他端に接続される。
【００５６】
また、トランスＴｉの２次側巻線の一端は、電流検出用抵抗Ｒｓｉの一端に接続され、トランスＴｉの２次側巻線の他端は、スイッチＳＷ１またはスイッチＳＷ２を介して、電流検出用抵抗Ｒｓｉの他端に接続される。つまり、トランスＴｉの２次側巻線と電流検出用抵抗Ｒｓｉとが直列に接続され、閉回路を構成する。なお、電流検出用抵抗Ｒｓｉの他端は、接地される。
【００５７】
電流検出用抵抗Ｒｓｉ（ｉ＝１，２，・・・，８）は、導通する電流を電圧として測定するために設けられている抵抗である。電流検出用抵抗Ｒｓｉの抵抗値は、擬似負荷Ｒの抵抗値より非常に低い。
【００５８】
次に、上記回路の動作について説明する。図５は、図４に示す回路の動作を説明する図である。
【００５９】
上記の擬似負荷回路に対して放電管駆動装置により駆動電圧が印加される。ほぼ同一の振幅および周波数の、４駆動系の正相の駆動電圧が、４つの入力端子ｐ１，ｐ３，ｐ５，ｐ７とグランドとの間にそれぞれ印加されるとともに、ほぼ同一の振幅および周波数の、４駆動系の逆相の駆動電圧が、４つの入力端子ｐ２，ｐ４，ｐ６，ｐ８とグランドとの間にそれぞれ印加される。
【００６０】
したがって、擬似負荷Ｒ、トランスＴ１，Ｔ３，Ｔ５，Ｔ７の１次側巻線、およびトランスＴ２，Ｔ４，Ｔ６，Ｔ８の１次側巻線を介して電流が流れ、この電流が、互いに逆方向へ流れる、正相の４駆動系の駆動電流ｉ１１，ｉ１３，ｉ１５，ｉ１７と逆相の４駆動系の駆動電流ｉ１２，ｉ１４，ｉ１６，ｉ１８とになる。図７（Ｂ）に示すようにして、１つのトランスにより正相の駆動電流ｉ１１と逆相の駆動電流ｉ１２が供給される場合、ｉ１１＝−ｉ１２となる。同様に、１つのトランスにより正相の駆動電流ｉ１３と逆相の駆動電流ｉ１４が供給され、１つのトランスにより正相の駆動電流ｉ１５と逆相の駆動電流ｉ１６が供給され、１つのトランスにより正相の駆動電流ｉ１７と逆相の駆動電流ｉ１８が供給される場合、ｉ１３＝−ｉ１４，ｉ１５＝−ｉ１６，ｉ１７＝−ｉ１８となる。このように、互いに大きさの等しい１つの正相の駆動電流と１つの逆相の駆動電流との組が構成され、また、トランスＴ１，・・・，Ｔ８が同一特性であるため、すべての駆動電流が重畳されて擬似負荷Ｒを導通し分離される。
【００６１】
これにより、トランスＴ１，・・・，Ｔ８の２次側巻線には、１次側巻線の電流に比例した電流ｉ２１，・・・，ｉ２８が流れる。この２次側巻線を流れる電流ｉ２１，・・・，ｉ２８は、電流検出用抵抗Ｒｓ１，・・・，Ｒｓ８にもそれぞれ流れる。このため、電流検出用抵抗Ｒｓ１，Ｒｓ２，・・・Ｒｓ８のそれぞれの両端電圧を測定することで、８駆動系の検査を行うことができる。
【００６２】
なお、実施の形態３の擬似負荷回路は、８駆動系ためのものであるが、２駆動系につき２つのトランスＴｉ，Ｔｉ＋１と２つの電流検出用抵抗Ｒｓｉ，Ｒｓｉ＋１を同様にして接続することで、４、６および１０以上の偶数個の駆動系の擬似負荷回路も簡単に構成可能である。
【００６３】
以上のように、上記実施の形態３の擬似負荷回路は、１本の擬似負荷Ｒと、放電管駆動装置から供給される複数のランプ駆動電流を重畳させて擬似負荷Ｒに導通させるとともに、その導通電流を元の複数のランプ駆動電流に分離させる複数のトランスＴ１，Ｔ２，・・・，Ｔ８とを備える。
【００６４】
これにより、放電管駆動装置の複数の駆動電流ｉ１，ｉ２，・・・，ｉ８に対して１本の擬似負荷Ｒを用意すればよいため、同一抵抗値の擬似負荷を多数作成せずに済み、手間を低減することができる。また、擬似負荷の本数を減少させることができるため、容量結合が低減され、正確な測定を行うことができる。
【００６５】
また、上記実施の形態３によれば、擬似負荷Ｒの一端は、正相のランプ駆動電流が導通するトランスＴ１，Ｔ３，Ｔ５，Ｔ７の１次側巻線の一端に接続され、擬似負荷Ｒの他端は、逆相のランプ駆動電流が導通するトランスＴ２，Ｔ４，Ｔ６，Ｔ８の１次側巻線の一端に接続される。また、正相のランプ駆動電流が導通するトランスＴ１，Ｔ３，Ｔ５，Ｔ７のうちの１つの２次側巻線と電流検出用抵抗Ｒｓ１，Ｒｓ３，Ｒｓ５，Ｒｓ７のうちの１つとを含む閉回路が構成される。さらに、逆相のランプ駆動電流が導通するトランスＴ２，Ｔ４，Ｔ６，Ｔ８のうちの１つの２次側巻線と電流検出用抵抗Ｒｓ２，Ｒｓ４，Ｒｓ６，Ｒｓ８のうちの１つとを含む閉回路が構成される。
【００６６】
これにより、正相および逆相の両方のすべての駆動電流に対して１本の擬似負荷Ｒを用意すればよいため、１本の擬似負荷Ｒのみで、すべての駆動電流の測定を行うことができる。
【００６７】
なお、上述の各実施の形態は、本発明の好適な例であるが、本発明は、これらに限定されるものではなく、本発明の要旨を逸脱しない範囲において、種々の変形、変更が可能である。
【００６８】
例えば、上述の各実施の形態では、擬似負荷Ｒ，ＲＡ，ＲＢは冷陰極管ランプを模擬しているが、他の種別の放電管ランプを模擬するものとしてもよい。
【産業上の利用可能性】
【００６９】
本発明は、例えば、冷陰極管ランプの駆動装置に対して使用される擬似負荷回路に適用可能である。
【図面の簡単な説明】
【００７０】
【図１】本発明の実施の形態１に係る擬似負荷回路の構成を示す回路図である。
【図２】図１に示す回路の動作を説明する図である。
【図３】本発明の実施の形態２に係る擬似負荷回路の構成を示す回路図である。
【図４】本発明の実施の形態３に係る擬似負荷回路の構成を示す回路図である。
【図５】図４に示す回路の動作を説明する図である。
【図６】従来の擬似負荷回路の一例を示す回路図である。
【図７】放電管駆動装置の例を示す回路図である。
【符号の説明】
【００７１】
Ｒ，ＲＡ，ＲＢ  擬似負荷
Ｔ１，Ｔ２，・・・，Ｔ８  トランス
Ｒｓ１，Ｒｓ２，・・・，Ｒｓ８  電流検出用抵抗
【図１】
0004963659.tif 000002
【図２】
0004963659.tif 000003
【図３】
0004963659.tif 000004
【図４】
0004963659.tif 000005
【図５】
0004963659.tif 000006
【図６】
0004963659.tif 000007
【図７】
0004963659.tif 000008